(57)【特許請求の範囲】
【請求項１】
呼出信号の応答処理を行う移動局側制御部を含む移動局と、
前記移動局へ送信すべき前記呼出信号の優先度の判定を行う基地局側制御部と、第１の優先度の第１の呼出信号は、前記移動局へ送信し、前記第１の優先度より低い第２の優先度の第２の呼出信号に対しては、キューに格納して送信処理を行うベースバンド部と、を含む無線基地局と、
を備え、
前記ベースバンド部は、
前記キューの格納容量が超えて前記第２の呼出信号を廃棄した際は、前記第２の呼出信号を廃棄した旨を前記移動局へ通知し、
前記移動局側制御部は、
前記第２の呼出信号が廃棄されたことを認識すると、前記無線基地局へ問い合せ応答を実行する、
ことを特徴とする無線通信システム。
【請求項２】
前記ベースバンド部は、
前記移動局をグループ分けして前記第２の呼出信号をグループ毎に前記キューに格納し、前記第２の呼出信号を廃棄した際は、どのグループの前記第２の呼出信号を廃棄したかのグループ単位での廃棄有無を前記移動局へ通知し、
前記移動局側制御部は、
自己が属するグループの前記第２の呼出信号が廃棄されたことを認識すると、前記無線基地局へ前記問い合せ応答を実行する、
ことを特徴とする請求項１記載の無線通信システム。
【請求項３】
前記ベースバンド部は、前記第２の呼出信号を廃棄する場合、すでに廃棄ありのグループがあれば、同じ前記グループの前記第２の呼出信号を廃棄することを特徴とする請求項２記載の無線通信システム。
【請求項４】
前記ベースバンド部は、前記移動局の着信数をランク付けして、ランク毎に前記グループ分けを行うことを特徴とする請求項２記載の無線通信システム。
【請求項５】
無線基地局において、
移動局へ送信すべき呼出信号の優先度の判定を行う制御部と、
第１の優先度の第１の呼出信号は、前記移動局へ送信し、前記第１の優先度より低い第２の優先度の第２の呼出信号に対しては、キューに格納して送信処理を行うベースバンド部と、
を備え、
前記ベースバンド部は、
前記キューの格納容量が超えて前記第２の呼出信号を廃棄した際は、前記第２の呼出信号を廃棄した旨を前記移動局へ通知する、
ことを特徴とする無線基地局。
【請求項６】
移動局において、
無線基地局側で、自局の呼出信号が廃棄された場合、前記呼出信号が廃棄された旨の通知を受信するベースバンド部と、
前記呼出信号が廃棄されたことを認識した場合は、前記無線基地局へ問い合せ応答を実行する制御部と、
を有することを特徴とする移動局。
【請求項７】
無線通信方法において、
無線基地局では、
移動局へ送信すべき呼出信号の優先度の判定を行い、
第１の優先度の第１の呼出信号は、前記移動局へ送信し、
前記第１の優先度より低い第２の優先度の第２の呼出信号に対しては、キューに格納して送信処理を行い、
前記キューの格納容量が超えて前記第２の呼出信号を廃棄した際は、前記第２の呼出信号を廃棄した旨を前記移動局へ通知し、
前記移動局では、
前記第２の呼出信号が廃棄されたことを認識すると、前記無線基地局へ問い合せ応答を実行する、
ことを特徴とする無線通信方法。
【発明の詳細な説明】
【技術分野】
【０００１】
本発明は、無線通信を行う無線通信システム、無線基地局、移動局および無線通信方法に関する。
【背景技術】
【０００２】
電話の通話着信や、メールがサーバに格納されたなどの情報を、相手側に通知して呼び出すことをページング（Paging）と呼び、その呼出信号はページング信号と呼ばれる。
ページング処理では、例えば、無線基地局は、待ち受け状態の移動局に対して、着信をページング信号で通知する。ページング信号を受信した移動局は、無線基地局にアクセスすることにより通信路を確立する。また、このページング信号の信号数にはページングチャネル容量や、無線基地局設備の処理能力などにより、上限値が存在する。
【０００３】
従来技術として、ページングおよび他のメッセージを統合化して移動端末に送信する技術が提案されている。
【先行技術文献】
【特許文献】
【０００４】
【特許文献１】特表２００２−５３８７４４号公報
【発明の概要】
【発明が解決しようとする課題】
【０００５】
しかし、従来のページング処理では、ページング信号数が上限値を超えた場合、ページング信号の優先度（サービス種別）にかかわらず、上限値を超えたページング信号は、無線基地局側で単純に廃棄されていた。
【０００６】
そのため、ページング信号を受信できない移動局が存在し、その移動局においては、例えば、着信等を認識してデータ等を受信することができず、サービス品質の低下が生じてしまうという問題点があった。
【０００７】
本発明はこのような点に鑑みてなされたものであり、サービス品質の向上を図った無線通信システムを提供することを目的とする。
また、本発明の他の目的は、サービス品質の向上を図った無線基地局を提供することである。
【０００８】
さらに、本発明の他の目的は、サービス品質の向上を図った移動局を提供することである。
さらにまた、本発明の他の目的は、サービス品質の向上を図った無線通信方法を提供することである。
【課題を解決するための手段】
【０００９】
上記課題を解決するために、無線通信システムが提供される。無線通信システムは、呼出信号の応答処理を行う移動局側制御部を含む移動局と、前記移動局へ送信すべき前記呼出信号の優先度の判定を行う基地局側制御部と、第１の優先度の第１の呼出信号は、前記移動局へ送信し、前記第１の優先度より低い第２の優先度の第２の呼出信号に対しては、キューに格納して送信処理を行うベースバンド部と、を含む無線基地局とを備え、前記ベースバンド部は、前記キューの格納容量が超えて前記第２の呼出信号を廃棄した際は、前記第２の呼出信号を廃棄した旨を前記移動局へ通知し、前記移動局側制御部は、前記第２の呼出信号が廃棄されたことを認識すると、前記無線基地局へ問い合せ応答を実行する。
【発明の効果】
【００１０】
サービス品質の向上を図ることが可能になる。
【図面の簡単な説明】
【００１１】
【図１】無線通信システムの構成例を示す図である。
【図２】無線基地局の構成例を示す図である。
【図３】移動局の構成例を示す図である。
【図４】制御部のハードウェア構成例を示す図である。
【図５】ＢＢ部のハードウェア構成例を示す図である。
【図６】ページング信号の廃棄処理を説明するための図である。
【図７】ページング信号の廃棄処理を説明するための図である。
【図８】報知情報のフォーマット構成例を示す図である。
【図９】報知情報を受信した移動局の動作フローを示す図である。
【図１０】ページング信号の廃棄処理を示すシーケンス図である。
【図１１】記憶内容を示す図である。
【図１２】ページング応答の動作を示すシーケンス図である。
【発明を実施するための形態】
【００１２】
以下、本発明の実施の形態を図面を参照して説明する。図１は無線通信システムの構成例を示す図である。無線通信システム１は、無線基地局１０および移動局２０を備える。無線基地局１０は、制御部（基地局側制御部）１ａおよびベースバンド部１ｂを備える。移動局２０は、ベースバンド部２ａ−１および制御部（移動局側制御部）２ａ−２を含む。
【００１３】
制御部１ａは、移動局２０へ送信すべき呼出信号の優先度の判定を行う。ベースバンド部１ｂは、第１の優先度の第１の呼出信号は、移動局２０へ送信する。また、第１の優先度よりも低い第２の優先度の第２の呼出信号に対しては、キューに格納して送信処理を行う。
【００１４】
また、ベースバンド部１ｂでは、キューの格納容量超えなどが生じて、第２の呼出信号を廃棄した際は、第２の呼出信号を廃棄した旨を移動局２０へ通知する。
移動局２０のベースバンド部２ａ−１は、無線基地局１０側で、自局の呼出信号が廃棄された場合、呼出信号が廃棄された旨の通知を受信する。
【００１５】
制御部２ａ−２は、呼出信号が廃棄されたことを認識した場合は、無線基地局１０へ問い合せ応答を自動的に実行する。
以上説明したように、無線通信システム１では、無線基地局１０は、呼出信号の優先度を判定し、優先度の高い呼出信号は移動局２０へ送信する。また、優先度の低い呼出信号については、キューに格納して送信処理を行う。
【００１６】
そして、優先度の低い呼出信号を廃棄した際は、廃棄した旨を移動局２０へ通知し、移動局２０では、呼出信号が廃棄されたことを認識すると、無線基地局１０へ問い合せ応答を実行する構成とした。
【００１７】
これにより、優先度の高い呼出信号は、移動局２０へ常に送信されるので、優先度の高い呼出信号、例えば、電話着信などリアルタイム性の有る呼出信号は廃棄されることはない。また、優先度の低い呼出信号が廃棄された場合には、問い合せ応答を行うので、ページング信号の廃棄を知った移動局２０（ユーザ）は、例えば、無線基地局１０に接続することが可能になり、データ等の受信漏れを防止することができる。
【００１８】
このように、優先度に応じた効率的なページング信号の通知およびページング信号が廃棄された際の問い合せを実行する構成としたので、従来のページング処理と比べて、電話着信の非接続やメール受信漏れ等を防ぐことができ、サービス品質を格段に向上させることが可能になる。
【００１９】
ここで、ページング信号の廃棄を抑制する対策としては、位置登録エリアを狭めて、ページング信号の送信数を低減することが考えられる。しかし、この場合、位置登録要求が増加することになり、システム全体の処理能力を圧迫することとなる。これに対し、無線通信システム１では、システムの他処理能力を圧迫することがない。
【００２０】
一方、近年では、携帯電話機によるメールでの連絡、メールマガジン等による会員情報の一斉送信およびネットワークサービスによるニュース等の配信など、ページングによる通知が増加している。
【００２１】
このような状況に対して、無線通信システム１を適用することにより、優先度に応じた効率的なページング信号の通知およびページング信号が廃棄された際の問い合せを可能とするので、ページング信号数が増加してもすみやかに対処することができ、ページングサービスの低下を抑制することができる。
【００２２】
次に無線通信システム１を携帯電話機の高速データ通信仕様の１つであるＬＴＥ（Long Term Evolution）に適用した場合について以降詳しく説明する。また、以降では呼出信号をページング信号と呼ぶ。
【００２３】
図２は無線基地局の構成例を示す図である。無線基地局１０は、制御部１１、ＢＢ（Base Band）部１２、ＨＷ（High Way）部１３および無線ＩＦ（インタフェース）部１４を備える。
【００２４】
制御部１１は、Ｓ１ＡＰ（S1 Application Part）処理部１１ａ、ページング信号判定部１１ｂ、報知情報編集部１１ｃ、ページング応答処理部１１ｄおよびメモリ１１ｅを含む。ＢＢ部１２は、ページング信号処理部１２ａ、報知情報送信処理部１２ｂおよびＭＡＣ（Media Access Control）部１２ｃを含む。
【００２５】
なお、制御部１１は、図１の制御部１ａの機能を有し、ＢＢ部１２は、図１のベースバンド部１ｂの機能を有する。
ＨＷ部１３は、ＩＰ（Internet Protocol）ネットワークを終端し、上位ノードであるＭＭＥ（Mobility Management Entity：無線基地局を収容し、モビリティ制御機能などを提供するネットワーク側に位置する論理ノード）との通信インタフェース処理を行う。無線ＩＦ部１４は、移動局２０との間の無線通信インタフェース処理を行う。
【００２６】
制御部１１において、Ｓ１ＡＰ処理部１１ａは、ＭＭＥから送信されたＳ１ＡＰのメッセージを解析し、そのメッセージがページング信号であるか否かを認識する。なお、Ｓ１ＡＰとは、ＬＴＥにおける、ネットワーク（コアネットワーク）と無線基地局１０との間で通信を行うための制御プロトコルの名称である。
【００２７】
ページング信号判定部１１ｂは、ページング信号の優先度の判定およびグループ判定を行う。判定処理後、判定結果を含めて、ページング信号をページング信号処理部１２ａへ送信する。
【００２８】
報知情報編集部１１ｃは、報知情報（ＢＣＣＨ：Broadcasting Control Channel）を編集する。具体的には、後述するフラグ情報を報知情報に設定する。なお、ＬＴＥで使用する報知情報は、例えば、移動局の位置登録要否の判断に用いられる位置番号、周辺セル情報または発信規制制御を行うための情報などを含み、周辺セル毎に一斉同報される。
【００２９】
ページング応答処理部１１ｄは、移動局２０から送信されたページング応答信号を受信し、ページング信号の問い合せ応答に関連する処理を行う。メモリ１１ｅは、廃棄されたページング信号の送信先の移動局の識別子等の情報を記憶する。
【００３０】
ＢＢ部１２において、ページング信号処理部１２ａは、制御部１１から転送された優先度高のページング信号の送信処理を行う。また、優先度低のページング信号に関しては、内部に送信キューを有しており、制御部１１から転送された優先度低のページング信号に対して、グループ単位での格納を行って、ページング信号の廃棄または送信処理を行う。
【００３１】
報知情報送信処理部１２ｂは、編集後の報知情報を移動局２０へ送信するための送信処理を行う。ＭＡＣ部１２ｃは、ＭＡＣレイヤのインタフェース処理を行う。
なお、制御部１１は、Ｓ１ＡＰ処理部１１ａ、ページング信号判定部１１ｂ、報知情報編集部１１ｃ、ページング応答処理部１１ｄおよびメモリ１１ｅ以外の動作として、既存の通信制御も行う。
【００３２】
図３は移動局の構成例を示す図である。移動局２０は、制御部２１、ＢＢ部２２およびＲＦ（Radio Frequency）部２３を備える。制御部２１は、フラグ判定部２１ａ、ページング応答信号送信部２１ｂおよびメモリ２１ｃを含む。なお、制御部２１は、図１の制御部２ａ−２の機能を有し、ＢＢ部２２は、図１のベースバンド部２ａ−１の機能を有する。
【００３３】
フラグ判定部２１ａは、無線基地局１０から送信された報知情報に含まれるフラグ情報を認識し、自グループ宛のページング信号が無線基地局１０側で廃棄されたか否かを判定する。
【００３４】
ページング応答信号送信部２１ｂは、自グループ宛のページング信号が廃棄されていると認識した場合は、問い合せ応答として、ページング応答信号を無線基地局１０へ送信する。メモリ２１ｃは自己の識別子等を格納する。
【００３５】
なお、制御部２１は、フラグ判定部２１ａ、ページング応答信号送信部２１ｂおよびメモリ２１ｃ以外の動作として、既存の通信制御も行う。
ＢＢ部２２は、ディジタルベースバンド信号の変復調処理等を行う。ＲＦ部２３は、ベースバンド帯域を無線周波帯域に変換するアップコンバートおよび無線周波帯域をベースバンド帯域に変換するダウンコンバートといった無線インタフェース処理を行う。
【００３６】
次に無線基地局１０および移動局２０のハードウェア構成について説明する。図４は制御部のハードウェア構成例を示す図である。制御部１００のハードウェア構成は、無線基地局１０の制御部１１、または移動局２０の制御部２１に対応可能である。制御部１００は、ＣＰＵ（Central Processing Unit）１０１、メモリ１０２およびＩＦ部１０３を備えて、互いにバス接続する。
【００３７】
無線基地局１０の制御部１１に適用した場合、ＣＰＵ１０１は、Ｓ１ＡＰ処理部１１ａ、ページング信号判定部１１ｂ、報知情報編集部１１ｃ、ページング応答処理部１１ｄの各動作機能を実現する。メモリ１０２は、メモリ１１ｅに該当する。ＩＦ部１０３は、ＨＷ部１３およびＢＢ部１２とインタフェース処理を行う。
【００３８】
移動局２０の制御部２１に適用した場合、ＣＰＵ１０１は、フラグ判定部２１ａおよびページング応答信号送信部２１ｂの各動作機能を実現する。メモリ１０２は、メモリ２１ｃに該当する。
【００３９】
図５はＢＢ部のハードウェア構成例を示す図である。ＢＢ部１１０のハードウェア構成は、無線基地局１０のＢＢ部１２、または移動局２０のＢＢ部２２に対応する。ＢＢ部１１０は、ＣＰＵ１１１、ＤＳＰ（Digital Signal Processor）１１２、メモリ１１３およびＩＦ部１１４を備えて、互いにバス接続する。
【００４０】
無線基地局１０のＢＢ部１２に適用した場合、ＤＳＰ１１２は、ページング信号処理部１２ａ、報知情報送信処理部１２ｂおよびＭＡＣ部１２ｃの各動作機能を実現する。ＩＦ部１１４は、制御部１１および無線ＩＦ部１４とのインタフェース処理を行う。
【００４１】
次にページング信号の廃棄処理について説明する。図６、図７はページング信号の廃棄処理を説明するための図である。図６において、無線基地局１０は、ＭＭＥ側から送信されたページング信号を受信すると、ページング信号判定部１１ｂでは、受信したページング信号の優先度として、リアルタイム性の有るページング信号か、リアルタイム性の無いページング信号かを判断する。
【００４２】
なお、リアルタイム性の有るページング信号は、第１の優先度のページング信号に対応し、リアルタイム性の無いページング信号は、第２の優先度のページング信号に対応する。また、リアルタイム性の有るページング信号とは、例えば、通話着信などであり、リアルタイム性の無いページング信号とは、例えば、メール通知やニュース配信などである。
【００４３】
ページング信号処理部１２ａは、リアルタイム性の有るページング信号は、宛先の移動局２０に対して該ページング信号を送信するための送信処理を行う。また、リアルタイム性の無いページング信号に関しては、グループ毎に設けられている送信キューに格納（キューイング）する。
【００４４】
ここで、移動局２０のグループ分けについて説明する。ページング信号処理部１２ａは、配下の移動局２０に識別子を付与して、識別子毎にグループ分けする。例えば、ＴＭＳＩ（Temporary Mobile Subscriber Identity）を利用して、グループ分けを行うことができる。ＴＭＳＩとは、コアネットワーク側でユーザ認証に用いる一時的なＩＤのことである。
【００４５】
ＴＭＳＩを用いてグループ分けする場合、例えば、ＴＭＳＩの値のモジュロ２５６を算出し、ＴＭＳＩの値を２５６で割った余りの値（２５６通り）で、２５６グループにグループ分けすることができる。
【００４６】
一方、移動局２０のグループ分けを行ってグループ数を決めると、各グループに対応した送信キュー（論理キュー）が設けられる。図６の場合は、グループＧ１〜Ｇ４の４グループに分けられており、グループＧ１〜Ｇ４毎に送信キューｑ１〜ｑ４が設けられている。
【００４７】
次にリアルタイム性の無いページング信号がグループＧ２宛としたときのページング信号の廃棄処理について説明する。
なお、送信キューｑ１〜ｑ４の全体の格納容量を３００とする。また、送信キューｑ１の現在格納しているページング信号数を７５、送信キューｑ２の現在格納しているページング信号数を１００とする。さらに、送信キューｑ３の現在格納しているページング信号数を５０、送信キューｑ４の現在格納しているページング信号数を７５とし、現時点で３００格納されている状態であるとする。
【００４８】
ページング信号処理部１２ａは、一定時間内にすでに廃棄ありのグループがあれば、該グループに属する移動局２０へのページング信号を優先して廃棄する処理を行う。また、廃棄したグループがなければ、最後に送信キューに格納したグループのページング信号を廃棄する。
【００４９】
この例では、ページング信号が送信キューｑ１〜ｑ４に３００溜まっている状態であり、前回の廃棄では、送信キューｑ３からページング信号が廃棄されていたとする。
このとき、新たにグループＧ２へのページング信号を受信したとする（宛先移動局の識別子からページング信号のグループは認識できる）。このページング信号を送信キューｑ２に格納しようとすると、送信キューｑ１〜ｑ４の全体容量が超えて、溢れが生じることになる。したがって、前回廃棄した送信キューｑ３からページング信号を廃棄する。
【００５０】
図７は、ページング信号廃棄後の送信キューｑ１〜ｑ４の格納状態を示している。グループＧ３の送信キューｑ３からページング信号が１つ廃棄されたため、格納数は５０から４９になっている。また、グループＧ２の送信キューｑ２に、受信したグループＧ２宛のページング信号を格納したため、格納数は１００から１０１になっている。
【００５１】
以上説明したように、無線基地局１０は、移動局２０をグループ分けして、リアルタイム性の無い呼出信号をグループ毎に送信キューに格納し、呼出信号を廃棄した際は、どのグループの呼出信号を廃棄したかのグループ単位での廃棄有無を移動局２０へ通知する。そして、移動局２０は、自己が属するグループの呼出信号が廃棄されたことを認識すると、無線基地局１０へ問い合せ応答を実行する構成とした。これにより、グループ単位に効率よく問い合せ応答を行うことができる。
【００５２】
また、上記のように、リアルタイム性の無いページング信号を廃棄する場合、すでに廃棄ありのグループがあれば、同じグループからページング信号を廃棄することにより、廃棄グループの送信キューを１つにまとめることができ、処理を容易にすることができる。
【００５３】
なお、上記では、送信キューは、グループ毎に設けたが、Paging Cause（ページング信号の優先度（サービス種別））毎に送信キューを設けてもよい。この場合、ページング信号の送信予測時刻を算出する。そして、送信予想時刻が規定値を超える場合には、優先度の低いPaging Causeの送信キューより、規定値を超える信号を廃棄する構成にしてもよい。
【００５４】
次に移動局２０への報知処理について説明する。無線基地局１０は、上記のようにして、リアルタイム性の無いページング信号の廃棄を行った場合、廃棄した旨を移動局２０へ通知する。この場合、どのグループのページング信号が廃棄されたかが認識できるフラグ情報を報知情報に設定して、配下の全移動局へ報知する。
【００５５】
図８は報知情報のフォーマット構成例を示す図である。報知情報５０は、ＭＩＢ（Master Information Block）５１およびＳＩＢ（System Information Block）５２−１〜５２−ｎ、５３を備える。ＬＴＥで用いられる報知情報は、無線基地局１０から移動局２０に対して周期的に所定情報が報知される。なお、ＳＩＢ５３は、新たに設けたＳＩＢである。
【００５６】
ＬＴＥでは、システム情報は、固定長リソースのＭＩＢと、可変長リソースのＳＩＢの２つに分けられて伝送される。ＭＩＢ５１には、例えば、下りリンクのセル帯域幅に関する情報やシステムフレーム数の情報などが設定される。また、ＳＩＢ５２−１〜５２−ｎには、制御チャネルの構成情報や規制情報などが設定される。
【００５７】
さらに、新たに設けたＳＩＢ５３により、グループ毎にフラグ情報が設定される。フラグ情報の設定として、例えば、無線基地局１０が、グループＧ３のページング信号の廃棄を行った場合には、グループＧ３フラグに例えば、“１”を立てる（廃棄が行われていないフラグは“０”とする）。
【００５８】
次に報知情報を受信した移動局２０の動作について説明する。図９は報知情報を受信した移動局の動作フローを示す図である。
〔Ｓ１〕移動局２０は、報知情報を受信する。
【００５９】
〔Ｓ２〕フラグ判定部２１ａは、受信した報知情報の中にフラグ情報が含まれているか否かを判断する。含まれていない場合は、ステップＳ５へ行き、含まれている場合はステップＳ３へ行く。
【００６０】
〔Ｓ３〕フラグ判定部２１ａは、フラグ情報の中に自局が属するグループのフラグが立っている（ＯＮ）か否かを判断する。フラグが立っている場合はステップＳ４へ行き、立っていない場合は（ＯＦＦの場合は）ステップＳ５へ行く。
【００６１】
〔Ｓ４〕ページング応答信号送信部２１ｂは、ページング応答信号を無線基地局１０へ送信してページング信号の問い合せを行う。
〔Ｓ５〕制御部２１は、報知情報にもとづく所定の処理を行う。
【００６２】
なお、上記では、無線基地局１０から移動局２０へ、報知情報を用いてページング信号の廃棄されたグループ番号を通知するとした。これに対し、報知情報の代わりに、ＴＭＳＩなどの移動局２０の識別子をグループ番号とした、ブロードキャスト用ページング信号で通知する構成にしてもよい。
【００６３】
また、移動局２０は、RRC（Radio Resource Control） CONNECTION REQUEST信号内のEstablish Cause（通信確立理由：どのような理由でＲＲＣを確立したいかの内容が設定される）の１つのパラメータに、ページング応答である旨を記載して無線基地局１０へ送信する。無線基地局１０は、このCauseから、受信信号がページング応答信号であるか否かを判断する（図１２で後述）。
【００６４】
次にページング問い合せの空振り（ミスヒット）について説明する。上記のように、移動局２０は、報知情報内のフラグ情報によって、自己が属するグループに何らかの着信が有ったことを認識すると、無線基地局１０へページング応答信号を送信する。
【００６５】
無線基地局１０では、グループ単位にページング信号の有無を通知するため、ページング応答信号を送信した移動局２０は、自局には着信がなく、ページング応答信号を送信しても空振りするケースがある。
【００６６】
ただし、その場合には、無線基地局１０内のページング応答処理部１１ｄにて、移動局２０が送信したページング応答が廃棄されるため、無線基地局１０と移動局２０とが接続することはない。
【００６７】
また、移動局２０からのページング問い合せが空振りとなるケースを極力減らすために、無線基地局１０側で移動局２０が属するグループ番号を変更してもよい。
無線基地局１０内のページング信号処理部１２ａにおける、グループ番号決定処理は、通常は、例えば、位置登録時やアタッチ（attach：電源投入）時などにて、グループ番号を決定する（ＴＭＳＩを割り振ることによるグループ番号の決定）。
【００６８】
これに対し、移動局２０との着信の接続時に、グループ番号を変更する処理（ＴＭＳＩの割り振りの変更）を行うことができる。グループの変更は、例えば、着信数にてランク付けし、ランク毎にグループ化する。
【００６９】
このように、着信数に応じてグループ化して、着信数の多いグループに対するページング信号の廃棄を増加させることにより、ページング応答のヒット率を上げて、ページング応答の空振り数を低減することができる。
【００７０】
次にページング信号の廃棄処理についてシーケンス図を用いて説明する。図１０はページング信号の廃棄処理を示すシーケンス図である。
〔Ｓ１１〕ＭＭＥは、ページング信号を無線基地局１０へ送信する。
【００７１】
〔Ｓ１２〕ページング信号判定部１１ｂは、受信したページング信号がリアルタイム性の有るページング信号か、リアルタイム性の無いページング信号かを判断する。受信したページング信号が、リアルタイム性の有るページング信号の場合はステップＳ１９へ行き、リアルタイム性の無いページング信号の場合はステップＳ１３へ行く。
【００７２】
〔Ｓ１３〕ページング信号判定部１１ｂは、ページング信号（リアルタイム性の無いページング信号）の宛先移動局の識別子などから、どのグループのページング信号であるかを認識する（グループ番号の判定）。
【００７３】
〔Ｓ１４〕ページング信号処理部１２ａは、送信キューの格納状態に対し、現在受信したページング信号を格納すると溢れるか否かを判断する。溢れる場合はステップＳ１５へ行き、溢れない場合はステップＳ１９へ行く。
【００７４】
〔Ｓ１５〕ページング信号処理部１２ａは、一定時間内にすでにページング信号を廃棄している送信キューがあれば、該送信キューにキューイングされているページング信号を、容量を超える分廃棄する。
【００７５】
〔Ｓ１６〕ページング信号処理部１２ａは、ページング信号のグループと同じグループの送信キューに、該ページング信号を格納する。
〔Ｓ１７〕ページング信号処理部１２ａは、廃棄したページング信号の宛先移動局の識別子を記憶する（図１１で後述する）。
【００７６】
〔Ｓ１８〕報知情報編集部１１ｃは、廃棄したページング信号のグループと同じグループのフラグ情報のフラグを報知情報の所定フィールドに設定する。
〔Ｓ１８ａ〕報知情報送信処理部１２ｂは、フラグが設定されたフラグ情報を含む報知情報を移動局２０へ報知する。
【００７７】
〔Ｓ１９〕ページング信号処理部１２ａは、宛先移動局へのページング信号の送信処理を行う。
〔Ｓ１９ａ〕無線基地局１０から移動局２０へページング信号が送信される。
【００７８】
次にページング信号の廃棄情報に関する記憶内容について説明する。図１１は記憶内容を示す図である。無線基地局１０内のメモリ１１ｅの記憶領域の一部は、グループ毎のページング信号の廃棄有無欄および廃棄ユーザＩＤ（ＴＭＳＩ）欄が設けられている。なお、廃棄有りの場合は“１”、廃棄無しの場合は“０”が廃棄有無欄に設定される。
【００７９】
図では、例えば、グループＧ１において、廃棄ユーザＩＤが“00000000”、“11111111”、“22222222”が廃棄有無“１”となっている。これにより、“00000000”、“11111111”、“22222222”それぞれのＩＤを持つ移動局に対するページング信号が廃棄されたことが示される。
【００８０】
次にページング応答の動作についてシーケンス図を用いて説明する。図１２はページング応答の動作を示すシーケンス図である。
〔Ｓ２１〕移動局２０内のページング応答信号送信部２１ｂは、ページング応答信号を無線基地局１０へ送信する。具体的には、Establish Causeをページング問い合せとして、RRC CONNECTION REQUEST信号を無線基地局１０へ送信する
〔Ｓ２２〕無線基地局１０内のページング応答処理部１１ｄは、図１１で示したメモリ１１ｅの記憶内容にもとづき、ページング信号を廃棄した移動局２０の識別子を取り出す。
【００８１】
〔Ｓ２３〕ページング応答処理部１１ｄは、ページング応答信号を送信してきた移動局２０の識別子と、ステップＳ２２で取り出した識別子とが一致するか否かを判断する。不一致の場合はステップＳ２４へ行き、一致する場合はステップＳ２５へ行く。
【００８２】
〔Ｓ２４〕ページング応答処理部１１ｄは、受信したページング応答信号を廃棄し、拒絶信号（RRC Connection Reject信号）の返信処理を行う。
〔Ｓ２５〕ページング応答処理部１１ｄは、ページング信号を廃棄した移動局２０からページング問い合せ応答があったと認識すると、移動局２０とのRRC Connectionの接続処理を行う。
【００８３】
〔Ｓ２６〕RRC Connectionの確立後、移動局２０内の制御部２１は、ＭＭＥに向けてService Request信号（移動局２０とＭＭＥ間で認証を行う際に使用されるNAS（Non Access Stratum）メッセージ）を送信する。Service Request信号は、無線基地局１０を介してＭＭＥで受信されて、Ｌ３プロトコル（例えば、ＥＭＭ（Evolved Mobility Management））処理が起動される。
【００８４】
〔Ｓ２７〕ＭＭＥは、Service Request信号を受信すると、無線基地局１０を介して移動局２０へ向けて、Security Mode Command信号（NASメッセージ）を送信する。
〔Ｓ２８〕無線基地局１０は、移動局２０へ向けてSecurity Mode Command信号（RRCメッセージ）を送信する。
【００８５】
〔Ｓ２９〕移動局２０は、Security Mode Command信号を受信すると、Security Mode Complete信号（RRCメッセージ）を返信する。Security Mode Complete信号は、無線基地局１０を介してＭＭＥで受信される。ここまでの手順で無線基地局１０と移動局２０との間で秘匿動作が実施される。
【００８６】
〔Ｓ３０〕秘匿動作が完了すると、ＭＭＥは、無線基地局１０に対して、Initial Context Setup Request信号（S1APメッセージ）を送信し、無線基地局１０と移動局２０との間のRadio Bearer接続を行う。
【００８７】
〔Ｓ３１〕無線基地局１０は、ＭＭＥへInitial Context Setup Complete信号を送信する。Radio Bearer接続の完了後、無線基地局１０を介した、移動局２０とＭＭＥとの信号が疎通する。
【００８８】
移動局２０は、無線基地局１０を介してＭＭＥとの信号が疎通したので、ＭＭＥから、無線基地局１０で廃棄されたページング信号の取得が可能となる。
なお、上記のNASメッセージは、S1AP上では、Uplink NAS Transfer、Downlink NAS Transferメッセージにて転送される。RRC上では、UL Information Transfer、DL Information Transferメッセージにて転送される。
【００８９】
以上、実施の形態を例示したが、実施の形態で示した各部の構成は同様の機能を有する他のものに置換することができる。また、他の任意の構成物や工程が付加されてもよい。
【符号の説明】
【００９０】
１  無線通信システム
１０  無線基地局
１ａ  制御部（基地局側制御部）
１ｂ  ベースバンド部
２０  移動局
２ａ−１  ベースバンド部
２ａ−２  制御部（移動局側制御部）
【図１】
0005699881.tif 000002
【図２】
0005699881.tif 000003
【図３】
0005699881.tif 000004
【図４】
0005699881.tif 000005
【図５】
0005699881.tif 000006
【図６】
0005699881.tif 000007
【図７】
0005699881.tif 000008
【図８】
0005699881.tif 000009
【図９】
0005699881.tif 000010
【図１０】
0005699881.tif 000011
【図１１】
0005699881.tif 000012
【図１２】
0005699881.tif 000013